(57)【要約】【課題】使用者の体型や体質に関係なく，長時間快適に着用し得て，ストラップの肩からのずり落ちを効果的に防ぐことができるブラジャーを提供する。【解決手段】ブラジャーＢの，使用者Ｗの肩Ｗｓに掛けられるストラップ４，４の外面に付設される取り付け片１０に，先端を使用者Ｗの腕側に向けるように傾斜した状態で着用被服Ｓに接する多数の毛状突起１２を植毛し，ストラップ４，４と使用者Ｗの着用被服Ｓとの間に発生する摩擦抵抗を，ストラップ４，４の使用者Ｗの首側への移動時に小さく，使用者Ｗの腕側への移動時に大きく制御するようにした。【選択図】      図３
2005146435.tif 000002
【特許請求の範囲】
【請求項１】
カップ部（１，１）に接続されて使用者（Ｗ）の肩（Ｗｓ）に掛けられるストラップ（４，４）の外面に，該ストラップ（４，４）と使用者（Ｗ）の着用被服（Ｓ）との間に発生する摩擦抵抗を，該ストラップ（４，４）の使用者（Ｗ）の首側への移動時に小さく，使用者（Ｗ）の腕側への移動時に大きく制御する一方向滑り止め手段（１０）を設けたことを特徴とするブラジャー。
【請求項２】
請求項１記載のブラジャーにおいて，
前記一方向滑り止め手段（１０）を，前記ストラップ（４，４）の外面側から起立して先端を使用者（Ｗ）の腕側に向けるように傾斜した多数の毛状突起（１２）で構成したことを特徴とするブラジャー。
【請求項３】
請求項１記載のブラジャーにおいて，
前記一方向滑り止め手段（１０）を，前記ストラップ（４，４）の外面側から起立し，且つ先端に使用者（Ｗ）の腕側に屈曲した鉤部（１３ａ）を有する多数の毛状突起（１３）で構成したことを特徴とするブラジャー。
【請求項４】
請求項１〜３の何れかに記載のブラジャーにおいて，
前記一方向滑り止め手段（１０）を設けた取り付け片（１１）を前記ストラップ（４，４）の外面に付設したことを特徴とするブラジャー。
【発明の詳細な説明】
【技術分野】
【０００１】
本発明は，カップ部に接続されて使用者の肩に掛けられるストラップが，使用者の激しい運動中でも肩からずり落ちないようにしたブラジャーの改良に関する。
【背景技術】
【０００２】
従来，ブラジャーにおけるストラップのずり落ちを防止する手段として，（１）各部を伸縮性編地で構成して，使用者への皮膚密着性を向上させるもの（例えば下記特許文献１参照）や，（２）ストラップの伸縮強さを，ストラップの内側（使用者の首側）部分と外側（使用者の腕側）部分とで相違させたもの（例えば下記特許文献２参照）や，（３）ストラップの内面に接着剤を塗布して，ストラップの使用者に対する皮膚密着性を高めるもの等が知られている。
【特許文献１】特開２００２−３３９１１０号公報
【特許文献２】特開２００２−３０９４０８号公報
【発明の開示】
【発明が解決しようとする課題】
【０００３】
ところが，従来の上記（１）のものでは，使用者に対する皮膚密着性を向上させるために，伸縮性編地による或る程度の締めつけが必要となるので，使用者は，長時間使用のうちに圧迫感を感じることになり，必ずしも快適とは言えない。また上記（２）のものでは，ストラップのずり落ち防止効果が充分ではなく，特に撫で肩の人には効果が薄い。さらに上記（３）のものでは，ストラップのずり落ち防止効果は比較的高いものゝ，接着剤の刺激性により，皮膚の敏感な人には使用し得ない欠点がある。
【０００４】
本発明は，かゝる事情に鑑みてなされたもので，使用者の体型や体質に関係なく，長時間快適に着用し得て，ストラップの肩からのずり落ちを効果的に防ぐことができるブラジャーを提供することを目的とする。
【課題を解決するための手段】
【０００５】
本発明は，上記目的を達成するために，カップ部に接続されて使用者の肩に掛けられるストラップの外面に，該ストラップと使用者の着用被服との間に発生する摩擦抵抗を，該ストラップの使用者の首側への移動時に小さく，使用者の腕側への移動時に大きく制御する一方向滑り止め手段を設けたことを第１の特徴とする。
【０００６】
また本発明は，第１の特徴に加えて，前記一方向滑り止め手段を，前記ストラップの外面側から起立して先端を使用者の腕側に向けるように傾斜した多数の毛状突起で構成したことを第２の特徴とする。
【０００７】
さらに本発明は，第１の特徴に加えて，前記一方向滑り止め手段を，前記ストラップの外面側から起立し，且つ先端に使用者の腕側に屈曲した鉤部を有する多数の毛状突起で構成したことを第３の特徴とする。
【０００８】
さらにまた本発明は，第１〜第３の特徴の何れかに加えて，前記一方向滑り止め手段を設けた取り付け片を前記ストラップの外面に付設したことを第４の特徴とする。
【発明の効果】
【０００９】
本発明の第１の特徴によれば，一方向滑り止め手段は，各ストラップと使用者の着用被服との間に発生する摩擦抵抗を，該ストラップの使用者の首側への移動時に小さく，使用者の腕側への移動時に大きく制御することで，各ストラップの肩からのずり落ちを効果的に防ぐことができる。
【００１０】
また一方向滑り止め手段は，上記のような被服との協働により，各ストラップの肩からのずり落ちを防ぐので，撫で肩など使用者の体型に関係なく，そのずり落ち防止効果を発揮することができる。しかもストラップの使用者への締めつけ力を特に強くする必要もないから，長時間快適な装着感を得ることができる。その上，一方向滑り止め手段は使用者の皮膚に接するものではないから，皮膚の過敏な人でも安心して使用することができる。
【００１１】
また本発明の第２の特徴によれば，毛状突起は，各ストラップが被服に対して使用者の腕側に移動するとき，先端を被服の繊維又は繊維間に刺さるようになって，その方向への移動に強い抵抗力を発揮することで，各ストラップの肩からのずり落ちを効果的に防ぐことができる。
【００１２】
しかも毛状突起は可撓性を有するので，各ストラップの腕側への移動力が一定値を超えたときは，適度に撓んで各ストラップの腕側への移動を許容し，被服を傷つけることもない。また毛状突起からなる一方向滑り止め手段は安価に提供し得る。
【００１３】
さらに本発明の第３の特徴によれば，毛状突起は，各ストラップが被服に対して使用者の腕側に移動するとき，先端の鉤部を被服の繊維に引っ掛けることで，その方向への移動により強い抵抗力を発揮して，各ストラップの肩からのずり落ちを一層効果的に防ぐことができる。また各ストラップの腕側への移動力が一定値を超えたときは，被服に引っ掛かっていた毛状突起の鉤部が弾性的に伸びることで各ストラップ４の腕側への移動を許容し，被服の傷つきを回避することができる。
【００１４】
さらにまた本発明の第４の特徴によれば，取り付け片のストラップへの付設により，既存のあらゆるブラジャーに適用することができる。
【発明を実施するための最良の形態】
【００１５】
本発明の実施の形態を，添付図面に示す本発明の好適な実施例に基づいて以下に説明する。
【００１６】
添付図面において，図１は本発明の第１実施例に係るブラジャーを使用状態で示す前方斜視図，図２は同背面図，図３は図１の３−３線拡大断面図，図４は本発明の第２実施例を示す，図３と対応する断面図である。
【００１７】
先ず，図１〜図３に示す本発明の第１実施例より説明する。
【００１８】
図１及び図２において，ブラジャーＢは，相互に接続される左右一対のカップ部１，１と，これらカップ部１，１の両外側端から延出するベルト２，２と，両カップ部２，２の上端に接続環３，３を介して前端が接続されると共に，後端が同側のベルト２，２に接続される左右一対のストラップ４，４とからなっており，ストラップ４，４は使用者Ｗの左右の肩Ｗｓ，Ｗｓに掛けられ，ベルト２，２は使用者Ｗの背側で相互に接続されるようになっている。各ストラップ４には，その長さを使用者Ｗの体型に応じて調節し得る調節環５が設けられる。
【００１９】
以上は，一般的なブラジャーの構成であり，本発明では，各ストラップ４の外面，特に使用者Ｗの肩Ｗｓの上面に対応する部分において，使用者Ｗが着用するシャツ等の被服Ｓと協働して，各ストラップ４の肩Ｗｓからのずり落ちを防ぐ一方向滑り止め手段１０が施される。
【００２０】
この一方向滑り止め手段１０について，図３を参照しながら説明する。
【００２１】
一方向滑り止め手段１０は，各ストラップ４の外面に縫着又は接着される布製の取り付け片１１と，この取り付け片１１の外面に植毛されたナイロンフィラメントからなる無数の毛状突起１２，１２…とで構成され，各毛状突起１２は，取り付け片１１の外面から起立して先端を使用者Ｗの腕側に向けるべく一斉に傾斜配向されており，これら毛状突起１２，１２…が着用被服Ｓの内面に接触するようになっている。
【００２２】
上記取り付け片１１は，実際には，各ストラップ４の外面に縫着又は接着する際，毛状突起１２，１２…の先端が使用者Ｗの腕側を向くように配置されるものである。
【００２３】
また毛状突起１２，１２…の上記傾斜配向は，取り付け片１１への植毛時に行うことができ，また可撓突起１２，１２…を取り付け片１１の面に垂直に植毛した後，熱圧縮等の処理を施すことにより傾斜配向させることもできる。
【００２４】
次に，この第１実施例の作用について説明する。
【００２５】
使用者Ｗが本発明のブラジャーＢを，シャツ等，一般の被服Ｓと共に着用すれば，ブラジャーＢの左右のストラップ４，４にそれぞれ設けられた一方向滑り止め手段１０の毛状突起１２，１２…が被服Ｓの内面に接触し，しかも毛状突起１２，１２…の先端が使用者Ｗの腕側に向いているため，各ストラップ４が被服Ｓに対して使用者Ｗの首側に移動するときは，毛状突起１２，１２…は被服Ｓの内面を滑らかに滑り，その方向への移動に殆ど抵抗を示さないが，各ストラップ４が被服Ｓに対して使用者Ｗの腕側に移動するときは，毛状突起１２，１２…の先端が被服Ｓの繊維又は繊維間に刺さるようになり，その方向への移動に強い抵抗力を発揮する。即ち，一方向滑り止め手段１０は，各ストラップ４と使用者Ｗの着用被服Ｓとの間に発生する摩擦抵抗を，該ストラップ４の使用者Ｗの首側への移動時に小さく，使用者Ｗの腕側への移動時に大きく制御することになり，その大なる摩擦抵抗により，各ストラップ４の肩Ｗｓからのずり落ちを効果的に防ぐことができる。
【００２６】
しかも毛状突起１２，１２…は適度に撓み得るので，各ストラップ４の腕側への移動力が一定値を超えたときは，毛状突起１２，１２…が撓んで各ストラップ４の腕側への移動を許容し，これにより被服Ｓの損傷を回避することができる。
【００２７】
このように，各ストラップ４の外面に設けられた一方向滑り止め手段１０が被服Ｓとの協働により，各ストラップ４の肩Ｗｓからのずり落ちを防ぐので，撫で肩など使用者Ｗの体型に関係なく，そのずり落ち防止効果を発揮することができる。またストラップ４の使用者Ｗへの締めつけ力を特に強くする必要もないから，長時間快適な装着感を得ることができる。さらに一方向滑り止め手段１０は使用者Ｗの皮膚に接するものではないから，皮膚の過敏な人でも安心して使用することができる。
【００２８】
また取り付け片１１及び毛状突起１２，１２…からなる一方向滑り止め手段１０の構造は極めて簡単であるから，これを安価に提供することができる。しかもその取り付け片１１のストラップ４，４への縫着又は接着により，既存のあらゆるブラジャーＢに適用し得る利点がある。
【００２９】
この第１実施例の一方向滑り止め手段１０によるストラップ４，４の肩Ｗａ，Ｗａからのずり落ち防止効果は，次のようなテストによって確認することができた。
【００３０】
一方向滑り止め手段１０として，長さ３０ｍｍ，幅５ｍｍの取り付け片１１の上面に，直径０．２ｍｍ，長さ１ｍｍのナイロンフィラメントからなる毛状突起１２，１２…を無数植毛し，これらを熱プレスして前記方向に傾斜配向させたものを用意し，これをワコール社製のブラジャーのストラップ外面に縫着した。このブラジャーを，撫で型体型のため日頃ブラジャーのストラップがずり落ち易いという女性５人に装着させ，日常の生活動作を１５時間，実行してもらったところ，該ブラジャーのストラップが肩からずり落ちた人は皆無であった。
【００３１】
次に，図４により本発明の第２実施例について説明する。
【００３２】
この第２実施例では，取り付け片１１に植毛されるナイロンフィラメント製の毛状突起１３，１３…の先端に，使用者Ｗの腕側に屈曲していて使用者Ｗの被服Ｓに引っ掛かり易い鉤部１３ａ，１３ａ…が形成される。この場合の毛状突起１３，１３…の起立姿勢は，取り付け片１１の外面に対して垂直であってもよいが，図示例のように，先端部が使用者Ｗの首側に向くように傾斜させる方が，鉤部１３ａ，１３ａ…の被服Ｓへの引っ掛かり効果を高める上で有効である。
【００３３】
その他の構成は，前実施例と同様であるので，図４中，前実施例と対応する部分には同一の参照符号を付して，その説明を省略する。
【００３４】
この第２実施例によれば，ブラジャーＢの各ストラップ４が着用被服Ｓに対して使用者Ｗの腕側に移動するとき，毛状突起１３，１３…の先端の鉤部１３ａ，１３ａ…が被服Ｓの繊維によく引っ掛かり，その方向への移動に一層強い抵抗力を発揮するので，各ストラップ４と使用者Ｗの着用被服Ｓとの間に発生する摩擦抵抗を，該ストラップ４の使用者Ｗの首側への移動時に小さく，使用者Ｗの腕側への移動時に一層大きく制御することができ，これにより各ストラップ４の肩Ｗｓからのずり落ちを一層効果的に防ぐことができる。また各ストラップ４の腕側への移動力が一定値を超えたときは，被服Ｓに引っ掛かっていた毛状突起１３，１３…の鉤部１３ａ，１３ａ…が弾性的に伸びることで各ストラップ４の腕側への移動を許容し，これにより被服Ｓの損傷を回避することができる。
【００３５】
この第２実施例の一方向滑り止め手段１０によるストラップ４のずり落ち防止効果が高いことは，次のようなテストによって確認することができた。
【００３６】
一方向滑り止め手段１０として，面ファスナの鉤側ファスナ半体を長さ３０ｍｍ，幅５ｍｍに裁断し，その鉤付き毛状突起を熱プレスして上記方向に傾斜配向させたものを用意し，これをワコール社製のブラジャーの左側ストラップの外面に縫着したものを用意した。この場合，比較のため右側のストラップは無加工とした。このようなブラジャーを，撫で型体型のため日頃ブラジャーのストラップがずり落ち易いという女性５人に装着させ，バスケットボールを２試合プレイしてもらったところ，試合中，無加工の右側のストラップが肩からずり落ちた人は５人全員であったが，上記一方向滑り止め手段１０を設けた左側のストラップがずり落ちた人は１人しかいなかった。
【００３７】
本発明は，上記実施例及び変形例に限定されるものではなく，その要旨を逸脱することなく，種々の設計変更が可能である。例えば，毛状突起１２，１２…；１３，１３…は，ストラップ４，４の外面に直接植毛することもできる。また毛状突起１２，１２…；１３，１３…は，ナイロンフィラメント以外の繊維で構成することもできる。
【図面の簡単な説明】
【００３８】
【図１】本発明の第１実施例に係るブラジャーを使用状態で示す前方斜視図。
【図２】同背面図。
【図３】図１の３−３線拡大断面図。
【図４】本発明の第２実施例を示す，図３と対応する断面図。
【符号の説明】
【００３９】
Ｂ・・・・ブラジャー
Ｗ・・・・使用者
Ｗｓ・・・使用者の肩
４・・・・ストラップ
１０・・・一方向滑り止め手段
１１・・・取り付け片
１２・・・毛状突起
１３・・・毛状突起
１３ａ・・鉤部
【図１】
2005146435.tif 000003
【図２】
2005146435.tif 000004
【図３】
2005146435.tif 000005
【図４】
2005146435.tif 000006